(57)【特許請求の範囲】
【請求項１】
野地板（２）の上面に、複数の金属製外囲板（６）を、隣接する側部を互いに結合して平面状に敷設固定し、該外囲板（６）の結合部及び各外囲板（６）の中間部に外囲板（６）の平板面に対して垂直な外囲板（６）の側部に沿って延びる立ち上り部（７）と、該立ち上り部（７）に直角に屈折して形成されたＬ型屈折部（９）とを形成し、前記外囲板（６）の立ち上り部（７）間に上部が開放された角筒部を有する第１の架台（８）を載置し、該第１の架台（８）を前記Ｌ型屈折部（９）に係止し、前記第１の架台（８）の角筒部内に上昇方向の移動が係止されるように板ナット（１８）を配置し、前記外囲板（６）上に四角形状の複数の太陽電池モジュールパネル（１２）を横方向と縦方向に配置し、横方向に隣接する太陽電池モジュールパネル（１２）の側部を前記第１の架台（８）上で所定間隔を存して対向せしめ、前記第１の架台（８）の立ち上り部（８ｂ）（８ｃ）、及び、フレーム受け（８ｊ）（８ｋ）で前記横方向に隣接する太陽電池モジュールパネル（１２）の側部を支承し、前記太陽電池モジュールパネル（１２）の対向する側部間に該側部の略全長にわたって延びるモジュール間カバー（１４）を配置し、該モジュール間カバー（１４）のボルト挿入穴に挿入したボルト（１６）を前記板ナット（１８）にねじ込み、前記ボルト（１６）の締付力によって前記板ナット（１８）を支点として前記モジュール間カバー（１４）を前記横方向に隣接する太陽電池モジュールパネル（１２）の側部に圧着して該太陽電池モジュールパネル（１２）の隣接する側部の浮上方向の移動を係止し、前記外囲板（６）上に前記第１の架台（８）と直交する方向に第２の架台（２６）を載置し、該第２の架台（２６）を架台取付装置を介して前記外囲板（６）のＬ型屈折部（９）に係止し、前記第２の架台（２６）に形成した上位水平部（２６ｃ）の下側に縦方向に隣接する太陽電池モジュールパネル（１２）の下縁部と上縁部とを挿入配置し、該縦方向に隣接する太陽電池モジュールパネル（１２）の下縁部と上縁部の浮上方向の移動を前記第２の架台（２６）によって係止したことを特徴とする太陽電池モジュールパネル取付装置。
【請求項２】
前記第１の架台（８）にフレーム受け（８ｊ）（８ｋ）を設け、前記横方向に隣接する太陽電池モジュールパネル（１２）の対向する側部を前記フレーム受け（８ｊ）（８ｋ）に載置し、前記モジュール間カバー（１４）の下面の両側を前記横方向に隣接する太陽電池モジュールパネル（１２）の対向する側部の上面に載置し、前記板ナット（１８）を前記第１の架台（８）のフレーム受け（８ｊ）（８ｋ）の下面に係合させ、前記ボルト（１４）の締付力によって前記横方向に隣接する太陽電池モジュールパネル（１２）の対向する側部を前記モジュール間カバー（１４）と前記フレーム受け（８ｊ）（８ｋ）とで挟圧したことを特徴とする「請求項１」に記載の太陽電池モジュールパネル取付装置。
【請求項３】
前記架台取付装置を、平板部（２２ａ）（２２ｂ）と該平板部（２２ａ）（２２ｂ）の下面に設けられた横Ｕ字状の嵌合部（２２ｃ）と前記平板部（２２ａ）（２２ｂ）の略中間に穿設されたスリット（２２ｄ）とを有する金属製の取付金具（２２）と、水平部（２４ａ）と垂直部（２４ｂ）とを有するＬ型の金属板から成る支持片（２４）とで構成し、前記嵌合部（２２ｃ）を前記外囲板（６）のＬ型屈折部（９）に嵌合し、前記支持片（２４）の垂直部（２４ｂ）を前記スリット（２２ｄ）に挿入して該支持片（２４）の垂直部（２４ｂ）を前記外囲板（６）の立ち上り部（７）に当接し、前記取付金具（２２）の平板部（２２ａ）（２２ｂ）に前記支持片（２４）の水平部（２４ａ）の上から前記第２の架台（２６）を固定したことを特徴とする「請求項１」に記載の太陽電池モジュールパネル取付装置。
【請求項４】
前記スリット（２２ｄ）を境として前記平板部（２２ａ）（２２ｂ）に段差を形成し、前記スリット（２２ｄ）に支持片（２４）の垂直部（２４ｂ）を挿入し前記支持片（２４）の水平部（２４ａ）の下面を前記平板部（２２ａ）（２２ｂ）の低い方（２２ｂ）に載置したとき、支持片（２４）の水平部（２４ａ）の上面と前記平板部（２２ａ）（２２ｂ）の高い方（２２ａ）の上面とが同一平面となるように成し、前記第２の架台（２６）の下面を前記平板部（２２ａ）（２２ｂ）の高い方（２２ａ）と前記支持片（２４）の水平部（２４ａ）にまたがって載置し、前記第２の架台（２６）を前記平板部（２２ａ）（２２ｂ）にビス止めしたことを特徴とする「請求項３」に記載の太陽電池モジュールパネル取付装置。
【請求項５】
前記第２の架台（２６）を帯状の底部（２６ａ）と左右の立ち上り部（２６ｂ）と左右の上位水平部（２６ｃ）とから成るハット型の金属板により構成し、前記底部（２６ａ）を前記取付金具（２２）の平板部（２２ａ）（２２ｂ）にビス止めし、前記上位水平部（２６ｃ）の下面と前記取付金具（２２）の平板部（２２ａ）（２２ｂ）との間に縦方向に隣接する太陽電池モジュールパネル（１２）の下縁部と上縁部を挿入配置したことを特徴とする「請求項３」に記載の太陽電池モジュールパネル取付装置。
【請求項６】
前記第２の架台（２６）の開口部に帯状の金属板から成るカバー（２８）を載置し、該カバー（２８）をビスによって第２の架台（２６）の底部（２６ａ）に結合し、前記第２の架台（２６）の開口部を前記カバー（２８）で塞いだことを特徴とする「請求項５」に記載の太陽電池モジュールパネル取付装置。
【請求項７】
屋根や外壁などの外囲面を形成する外囲板（６）の立ち上り部（７）にＬ字状に屈折形成されたＬ型屈折部（９）に架台（２６）を取り付けるための架台取付装置において、平板部（２２ａ）（２２ｂ）と該平板部（２２ａ）（２２ｂ）の下面に設けられた前記Ｌ型屈折部（９）に嵌合可能な横Ｕ字状の嵌合部（２２ｃ）と前記平板部（２２ａ）（２２ｂ）の略中間に穿設されたスリット（２２ｄ）とを有する金属製の取付金具（２２）と、水平部（２４ａ）と垂直部（２４ｂ）とを有するＬ型の金属板から成る支持片（２４）とを備え、前記嵌合部（２２ｃ）を前記外囲板（６）のＬ型屈折部（９）に嵌合し、前記支持片（２４）の垂直部（２４ｂ）を前記スリット（２２ｄ）に挿入して該支持片（２４）の垂直部（２４ｂ）を前記外囲板（６）の立ち上り部（７）に当接し、前記取付金具（２２）の平板部（２２ａ）（２２ｂ）に前記支持片（２４）の水平部（２４ａ）の上から前記第２の架台（２６）を固定するようにしたことを特徴とする架台取付装置。
【請求項８】
屋根や外壁などの外囲面を形成する外囲板（６）の立ち上り部（７）にＬ字状に屈折形成されたＬ型屈折部（９）に架台（２６）を取り付けるための架台取付装置を、平板部（２２ａ）（２２ｂ）と該平板部（２２ａ）（２２ｂ）の下面に設けられた前記Ｌ型屈折部（９）に嵌合可能な横Ｕ字状の嵌合部（２２ｃ）と前記平板部（２２ａ）（２２ｂ）の略中間に穿設されたスリット（２２ｄ）とを有する金属製の取付金具（２２）と、水平部（２４ａ）と垂直部（２４ｂ）とを有するＬ型の金属板から成る支持片（２４）とで構成し、前記嵌合部（２２ｃ）を前記外囲板（６）のＬ型屈折部（９）に嵌合し、前記支持片（２４）の垂直部（２４ｂ）を前記スリット（２２ｄ）に挿入して該支持片（２４）の垂直部（２４ｂ）を前記外囲板（６）の立ち上り部（７）に当接し、前記取付金具（２２）の平板部（２２ａ）（２２ｂ）に前記支持片（２４）の水平部（２４ａ）の上から前記第２の架台（２６）を固定し、該架台（２６）にタイル（３２）、化粧板（３６）などのパネルを取り付けたことを特徴とする外囲体。
【発明の詳細な説明】
【０００１】
【発明の属する技術分野】
本発明は、屋根に用いられる太陽電池モジュールパネル取付装置及び太陽電池モジュールパネルなどのパネルを支持するための架台を外囲板に取り付けるための架台取付装置及び外囲板にパネルを取付け屋根や外壁を構成する外囲体に関する。
【０００２】
【従来の技術】
特開平７−２１７１０１号公報には、波形の屋根板に太陽電池モジュールパネルを取り付けた太陽電池モジュールパネル取付装置が開示されている。また、特開平７−２１７１０２号公報には、屋根板にキャップを介して太陽電池モジュールパネルを取り付けた太陽電池モジュールパネル取付装置が開示されている。また、特開平１１−３００１４号公報には、屋根板の平板面に太陽電池モジュールパネル支承し、板受け部材に立設された引掛け爪と板連結子との係合によって太陽電池モジュールパネルを板受け部材に保持した太陽電池モジュールパネル取付装置が開示されている。
【０００３】
【発明が解決しようとする課題】
屋根板に野地板面から所定の高さを保有して太陽電池モジュールパネルを支持する機構は、太陽電池モジュールパネルの全重量が屋根板にかかるため、屋根板が傷み易く、またそれを避けるために、屋根板を強固に構成する必要があり、コスト高となるという問題点があった。また、屋根板の平板部で太陽電池モジュールパネルを支承する機構は、太陽電池モジュールパネルの下面と屋根板の平板部との間に充分な空気層を形成することができず、太陽電池モジュールパネルの発熱を効率的に防止できないという問題点があり、また太陽電池モジュールパネルの下面に配設されたケーブルの十分な収納スペースを確保できないという問題点があった。また、引掛け爪と板連結子との係合によって太陽電池モジュールパネルを支持しようとすると充分な支持力が得られないという問題点があった。
本発明は、上記問題点を解決することを主たる目的とするものである。
更に本発明の他の目的は、長手方向に複数列の立ち上り部が形成され、且つ該立ち上り部の上部にＬ型の屈折部が形成された複数の金属製の外囲板の結合から成る外囲面上に、複数の太陽電池モジュールパネルを碁盤の目状に強固に固定し得るようにすることである。
また、本発明の他の目的は、太陽電池モジュールパネル等のパネルを支持するための架台を、屋根面あるいは外壁面を構成する外囲板に簡単に取り付けることができるようにした架台取付装置を提供することである。
また、本発明の他の目的は、タイルや化粧板などのパネル状部材を屋根面や外壁面を構成する外囲板に簡単に取り付けることができるようにした外囲体を提供することである。
【０００４】
【課題を解決するための手段】
上記目的を達成するため、本発明は、 野地板（２）の上面に、複数の金属製外囲板（６）を、隣接する側部を互いに結合して平面状に敷設固定し、該外囲板（６）の結合部及び各外囲板（６）の中間部に外囲板（６）の平板面に対して垂直な外囲板（６）の側部に沿って延びる立ち上り部（７）と、該立ち上り部（７）に直角に屈折して形成されたＬ型屈折部（９）とを形成し、前記外囲板（６）の立ち上り部（７）間に上部が開放された角筒部を有する第１の架台（８）を載置し、該第１の架台（８）を前記Ｌ型屈折部（９）に係止し、前記第１の架台（８）の角筒部内に上昇方向の移動が係止されるように板ナット（１８）を配置し、前記外囲板（６）上に四角形状の複数の太陽電池モジュールパネル（１２）を横方向と縦方向に配置し、横方向に隣接する太陽電池モジュールパネル（１２）の側部を前記第１の架台（８）上で所定間隔を存して対向せしめ、前記第１の架台（８）の立ち上り部（８ｂ）（８ｃ）、及び、フレーム受け（８ｊ）（８ｋ）で前記横方向に隣接する太陽電池モジュールパネル（１２）の側部を支承し、前記太陽電池モジュールパネル（１２）の対向する側部間に該側部の略全長にわたって延びるモジュール間カバー（１４）を配置し、該モジュール間カバー（１４）のボルト挿入穴に挿入したボルト（１６）を前記板ナット（１８）にねじ込み、前記ボルト（１６）の締付力によって前記板ナット（１８）を支点として前記モジュール間カバー（１４）を前記横方向に隣接する太陽電池モジュールパネル（１２）の側部に圧着して該太陽電池モジュールパネル（１２）の隣接する側部の浮上方向の移動を係止し、前記外囲板（６）上に前記第１の架台（８）と直交する方向に第２の架台（２６）を載置し、該第２の架台（２６）を架台取付装置を介して前記外囲板（６）のＬ型屈折部（９）に係止し、前記第２の架台（２６）に形成した上位水平部（２６ｃ）の下側に縦方向に隣接する太陽電池モジュールパネル（１２）の下縁部と上縁部とを挿入配置し、該縦方向に隣接する太陽電池モジュールパネル（１２）の下縁部と上縁部の浮上方向の移動を前記第２の架台（２６）によって係止したものである。
また本発明は、 前記第１の架台（８）にフレーム受け（８ｊ）（８ｋ）を設け、前記横方向に隣接する太陽電池モジュールパネル（１２）の対向する側部を前記フレーム受け（８ｊ）（８ｋ）に載置し、前記モジュール間カバー（１４）の下面の両側を前記横方向に隣接する太陽電池モジュールパネル（１２）の対向する側部の上面に載置し、前記板ナット（１８）を前記第１の架台（８）のフレーム受け（８ｊ）（８ｋ）の下面に係合させ、前記ボルト（１４）の締付力によって前記横方向に隣接する太陽電池モジュールパネル（１２）の対向する側部を前記モジュール間カバー（１４）と前記フレーム受け（８ｊ）（８ｋ）とで挟圧したものである。
また本発明は、 前記架台取付装置を、平板部（２２ａ）（２２ｂ）と該平板部（２２ａ）（２２ｂ）の下面に設けられた横Ｕ字状の嵌合部（２２ｃ）と前記平板部（２２ａ）（２２ｂ）の略中間に穿設されたスリット（２２ｄ）とを有する金属製の取付金具（２２）と、水平部（２４ａ）と垂直部（２４ｂ）とを有するＬ型の金属板から成る支持片（２４）とで構成し、前記嵌合部（２２ｃ）を前記外囲板（６）のＬ型屈折部（９）に嵌合し、前記支持片（２４）の垂直部（２４ｂ）を前記スリット（２２ｄ）に挿入して該支持片（２４）の垂直部（２４ｂ）を前記外囲板（６）の立ち上り部（７）に当接し、前記取付金具（２２）の平板部（２２ａ）（２２ｂ）に前記支持片（２４）の水平部（２４ａ）の上から前記第２の架台（２６）を固定したものである。
また本発明は、 前記スリット（２２ｄ）を境として前記平板部（２２ａ）（２２ｂ）に段差を形成し、前記スリット（２２ｄ）に支持片（２４）の垂直部（２４ｂ）を挿入し前記支持片（２４）の水平部（２４ａ）の下面を前記平板部（２２ａ）（２２ｂ）の低い方（２２ｂ）に載置したとき、支持片（２４）の水平部（２４ａ）の上面と前記平板部（２２ａ）（２２ｂ）の高い方（２２ａ）の上面とが同一平面となるように成し、前記第２の架台（２６）の下面を前記平板部（２２ａ）（２２ｂ）の高い方（２２ａ）と前記支持片（２４）の水平部（２４ａ）にまたがって載置し、前記第２の架台（２６）を前記平板部（２２ａ）（２２ｂ）にビス止めしたものである。
また本発明は、 前記第２の架台（２６）を帯状の底部（２６ａ）と左右の立ち上り部（２６ｂ）と左右の上位水平部（２６ｃ）とから成るハット型の金属板により構成し、前記底部（２６ａ）を前記取付金具（２２）の平板部（２２ａ）（２２ｂ）にビス止めし、前記上位水平部（２６ｃ）の下面と前記取付金具（２２）の平板部（２２ａ）（２２ｂ）との間に縦方向に隣接する太陽電池モジュールパネル（１２）の下縁部と上縁部を挿入配置したものである。る  また本発明は、前記第２の架台（２６）の開口部に帯状の金属板から成るカバー（２８）を載置し、該カバー（２８）をビスによって第２の架台（２６）の底部（２６ａ）に結合し、前記第２の架台（２６）の開口部を前記カバー（２８）で塞いだものである。
また本発明は、屋根や外壁などの外囲面を形成する外囲板（６）の立ち上り部（７）にＬ字状に屈折形成されたＬ型屈折部（９）に架台（２６）を取り付けるための架台取付装置において、平板部（２２ａ）（２２ｂ）と該平板部（２２ａ）（２２ｂ）の下面に設けられた前記Ｌ型屈折部（９）に嵌合可能な横Ｕ字状の嵌合部（２２ｃ）と前記平板部（２２ａ）（２２ｂ）の略中間に穿設されたスリット（２２ｄ）とを有する金属製の取付金具（２２）と、水平部（２４ａ）と垂直部（２４ｂ）とを有するＬ型の金属板から成る支持片（２４）とを備え、前記嵌合部（２２ｃ）を前記外囲板（６）のＬ型屈折部（９）に嵌合し、前記支持片（２４）の垂直部（２４ｂ）を前記スリット（２２ｄ）に挿入して該支持片（２４）の垂直部（２４ｂ）を前記外囲板（６）の立ち上り部（７）に当接し、前記取付金具（２２）の平板部（２２ａ）（２２ｂ）に前記支持片（２４）の水平部（２４ａ）の上から前記第２の架台（２６）を固定するようにしたものである。
また本発明は、 屋根や外壁などの外囲面を形成する外囲板（６）の立ち上り部（７）にＬ字状に屈折形成されたＬ型屈折部（９）に架台（２６）を取り付けるための架台取付装置を、平板部（２２ａ）（２２ｂ）と該平板部（２２ａ）（２２ｂ）の下面に設けられた前記Ｌ型屈折部（９）に嵌合可能な横Ｕ字状の嵌合部（２２ｃ）と前記平板部（２２ａ）（２２ｂ）の略中間に穿設されたスリット（２２ｄ）とを有する金属製の取付金具（２２）と、水平部（２４ａ）と垂直部（２４ｂ）とを有するＬ型の金属板から成る支持片（２４）とで構成し、前記嵌合部（２２ｃ）を前記外囲板（６）のＬ型屈折部（９）に嵌合し、前記支持片（２４）の垂直部（２４ｂ）を前記スリット（２２ｄ）に挿入して該支持片（２４）の垂直部（２４ｂ）を前記外囲板（６）の立ち上り部（７）に当接し、前記取付金具（２２）の平板部（２２ａ）（２２ｂ）に前記支持片（２４）の水平部（２４ａ）の上から前記第２の架台（２６）を固定し、該架台（２６）にタイル（３２）、化粧板（３６）などのパネルを取り付けたものである。
【０００５】
【発明の実施の形態】
以下に本発明の実施の形態を添付した図面を参照して詳細に説明する。
図１において、２は建物の屋根を構成する野地板であり、Ｃ型鋼などから成る母屋（図示省略）によって支持されている。前記野地板２の上面には、アスファルトルーフィングなどの合成樹脂製の防水材４が敷設されている。
【０００６】
６は外囲板であり、ステンレスなどの横幅約４０センチメートルの長尺帯状の金属板により構成されている。外囲板６は、複数、縦向きの状態で横方向に並列に配列されている。ここで、縦向き即ち縦方向とは建物の棟に対して直角な方向のことであり、屋根が傾斜している場合には、雨水が流れる方向である。横方向とは、棟に対して平行な方向のことである。各外囲板６は図９に示すように、左側部に、立ち上り部６ａと、該立ち上り部６ａに対して直角な上位水平部６ｂと、該上位水平部６ｂに対して下向きに屈折した下向き接続片６ｃとから成る取付部６ｄが形成されている。
【０００７】
各外囲板６の右側部には、逆Ｌ字型の立ち上り部６ｅと下位平板片６ｆとから成る吊子部６ｇが形成され、該吊子部６ｇと前記取付部６ｄの中間には、複数の逆Ｌ字型のパネル支持片６ｈが一体的に形成されている。前記パネル支持片６ｈ、立ち上り部６ｅはそれぞれ同一の形状を有し、外囲板６の長手方向に平行な方向に形成されている。これらの外囲板６の側部を接合すると、複数の外囲板６の外囲面には、図１，３に示すように、所定間隔を存して、立ち上り部７と該立ち上り部７に対してＬ型に屈折するＬ型屈折部９が複数形成される。
【０００８】
８は縦方向に延びる長尺状のアルミニウム製の架台であり、図３に示すように、底板部８ａと、該底板部８ａに対して直角な、パネル支持用の立ち上り部８ｂ，８ｃ，８ｄと、該立ち上り部８ｂ，８ｃ，に直角な上位水平部８ｅ，８ｆと、該上位水平部８ｅ，８ｆに突設された係止部８ｇ，８ｈと、横Ｕ字状の嵌合部８ｉと、フレーム受け８ｊ，８ｋが一体的に形成されている。前記架台８の底板部８ａと立ち上がり部８ｂ，８ｃと上位水平部８ｅ，８ｆは、上部が開放された角筒部を構成している。
【０００９】
１０はフレームであり、図４に示すように、太陽電池モジュールパネル１２の縁部に脱着自在に嵌合可能な断面形状が横Ｕ字状の金属板により構成されている。１４は帯状の金属板から成るモジュール間カバーであり、帯状の金属板により構成されている。モジュール間カバー１４は、縦方向に配列された複数の太陽電池モジュールパネル１２の側部の長さと略同一長に形成され、該カバー１４の平板部には、所定間隔置きにボルト挿入穴が穿設されている。図４中、１６はボルト、１８は細長状の板ナット、２０はコイルスプリングである。
【００１０】
図５において、２２はアルミニウムなどの金属板から成る取付金具であり、平板部２２ａと、該平板部２２ａと若干の段差を有して該平板部２２ａと平行に一体的に形成された平板部２２ｂと、平板部２２ａの下面に一体的に形成された断面形状が横Ｕ字状の嵌合部２２ｃとから成り、平板部２２ｂの、平板部２２ａとの境界の近傍には、該境界と平行に差し込み用スリット２２ｄが穿設されている。前記平板部２２ａ，２２ｂにはビス用のねじ穴が穿設されている。
【００１１】
２４は支持片であり、水平部２４ａと垂直部２４ｂとから成る断面形状がＬ型のアルミニウムなどの金属板により構成されている。前記支持片２４の水平部２４ａにはビス挿入用の穴が穿設されている。２６は長尺状のアルミニウムなどの金属板から成る架台であり、帯状の底部２６ａと左右の立ち上り部２６ｂと左右の上位水平部２６ｃとから成るハット（帽子）型の断面形状を有している。
【００１２】
２８はカバーであり、長尺状の帯状のアルミニウムなどから成る金属板により構成され、両側部には傾斜部２８ａが形成されている。前記取付金具２２と支持片２４は架台取付装置を構成している。取付金具２２と支持片２４を別体構造としたのは、取付金具２２の嵌合部２２ｃを、外囲板の６のＬ型屈折部９に任意の対面位置から嵌合できるようにするためである。
【００１３】
次に外囲板６と架台８とを野地板２の上に取り付ける工程について説明する。
図３及び図４において、左側の外囲板６を防水材４の上から野地板２上に配置し、該外囲板６の左側部（図示省略）を隣接する外囲板（図示省略）の吊子部に結合し、しかる後に、左側の外囲板６の右側部の吊子部６ｇの下位平板片６ｆをビス２３によって、野地板２の上から母屋に固定する。
【００１４】
次に、右側の外囲板６を、左側の外囲板６の右側に配置し、その下向き接続片６ｃを、左側の外囲板６の吊子部６ｇに引掛け、該引掛け部分を折り曲げて結合する。このようにして、順次、複数の外囲板６を横方向に接続する。
次に、架台８を、外囲板６の立ち上り部６ａとパネル支持片６ｈの立ち上り部７間の平板部に載置し、その嵌合部８ｉを外囲板６，６の接合部のＬ型屈折部９に嵌合する。
【００１５】
次に、パネル支持片６ｈの上部のＬ型屈折部９を図４に示すように屈曲させて、パネル支持片６ｈを架台８の立ち上り部８ｄに結合する。これにより、架台８は外囲板６に固定され、左右及び上昇方向の移動が阻止される。
次に、縁部にフレーム１０を嵌合させた薄板四角形状の太陽電池モジュールパネル１２を縦向きにして、複数、並列に外囲板６上に載置し、各太陽電池モジュールパネル１２の両側部を対応する架台８のフレーム受け８ｊ，８ｋに載置し、太陽電池モジュールパネル１２の側端を対応する係止部８ｇ，８ｈに当接する。
【００１６】
これにより、架台８で太陽電池モジュールパネル１２の重量を支承するとともに、互いに左右に隣接する太陽電池モジュールパネル１２，１２の側部を、架台８上で、所定の間隔を存して対向させる。
次に、隣接する太陽電池モジュールパネル１２，１２の対向部にモジュール間カバー１４を配置する。次に、板ナット１８の向きを変えて板ナット１８の長手方向の両側をフレーム受け８ｊ，８ｋの下方に配置し、モジュール間カバー１４のボルト挿入穴に挿入したボルト１６を板ナット１８にねじ込み、フレーム１０を、ボルト１６の締付力で、モジュール間カバー１４とフレーム受け８ｊ，８ｋとで挟圧し、フレーム１０をモジュール間カバー１４に固定する。
【００１７】
このようにして左右の太陽電池モジュールパネル１２，１２の左右の隣接対向部は、図４に示す構造により、モジュール間カバー１４によって結合される。ボルト１６を緩め、板ナット１８の向きを変えることで、モジュール間カバー１４を架台８から外すことができ、これにより、左右の太陽電池モジュールパネル１２，１２の結合を解除することができる。
【００１８】
次に架台２６の取り付け工程を図５を参照して説明する。
まず、図５Ａに示すように、取付金具２２の嵌合部２２ｃを、外囲板６，６の接合部分のＬ型屈折部９にこれに対して対面する方向から嵌合する。次に、支持片２４の垂直部２４ｂをスリット２２ｄに挿入し、支持片２４の垂直部２４ｂを図５Ｂに示すように立ち上がり部７に平行に当接させる。次にビスによって支持片２４の水平部２４ａを取付金具２２の平板部２２ｂに固定する。
【００１９】
これにより、取付金具２２は、平板部２２ａ，２２ｂが外囲板６の平板面に対して水平な状態で、外囲板６，６の接合部にしっかりと取り付けられる。前記支持片２４は、取付金具２２の、立ち上り部７に対して傾く方向の移動を規制し、嵌合部２２ｃは、取付金具２２の、Ｌ型屈折部９から外れる浮上方向の移動を規制する。尚、支持片２４の垂直部２４ｂにねじ穴を穿設し、このねじ穴にねじをねじ込んでねじの先端を外囲板６の立ち上り部７に圧接し、取付金具２２が立ち上がり部７に対して長手方向にずれないように構成してもよい。
【００２０】
外囲板６を垂直にして外壁などの外囲面として使用する場合には、この構成が用いられる。次に、縦方向に隣接して外囲板６上に配置された上下の太陽電池モジュールパネル１２，１２の下縁部と上縁部を、図５Ｃに示すように、それぞれ対応する架台２６の上位水平部２６ｃと取付金具２２の平板部２２ａ及び支持片２４の水平部２４ａとの間に嵌合配置する。次に、カバー２８を架台２６の開口部に被せ、ビス３０によってカバー２８を架台２６の底部２６ａに固定する。
【００２１】
カバー２８は、ビス３０の締付力によって架台２６の上位水平部２６ｃを加圧し、この加圧力によって、上位水平部２６ｃが撓み、架台２６の上位水平部２６ｃの微細凹凸加工摩擦下面は、フレーム１０の微細凹凸加工摩擦上面に圧着する。これにより、太陽電池モジュールパネル１２，１２の隣接する下縁部と上縁部は、フレーム１０を介してしっかりと、架台２６によって外囲板６，６の立ち上り部７に保持される。
【００２２】
上記実施形態は、外囲板６上に碁盤の目状に配列された複数の太陽電池モジュールパネル１２の左右上下を縦方向の架台８と横方向の架台２６によって外囲板６上に保持したものであるが、架台２６及びその取付金具２２は、外囲板６上で太陽電池モジュールパネル１２の上下縁部を保持する用途以外に、図１０に示すように、外囲板６上にタイル３２を取付け、外壁などの外囲体３４としても用いることが可能である。
【００２３】
また、架台２６及びその取付金具２２は、図１１に示すように、外囲板６上に化粧板（コラーキング）３６を取り付けた外囲体３４にも用いることができる。図１０において、互いに結合する各タイル３２は、架台２６にビス止めされ、図１１において、互いに結合する各化粧板３６は架台２６にビス止めされている。図１０，１１の野地板２及び外囲板６の構成は図１に示す実施形態と同一である。
【００２４】
【発明の効果】
本発明は上述の如く構成したので、外囲板の立ちあがり部に碁盤の目状に複数の太陽電池モジュールパネルを簡単且つ強固に連結でき、また、タイルや化粧板などのパネル状部材を外囲板の立ちあがり部に簡単に連結できる等の効果がある。
【図面の簡単な説明】
【図１】太陽電池モジュールパネル取付装置の外観図である。
【図２】太陽電池モジュールパネル取付装置の断面図である。
【図３】太陽電池モジュールパネル取付装置の組み立て工程を示す説明図である。
【図４】太陽電池モジュールパネル取付装置の要部の断面図である。
【図５】太陽電池モジュールパネル取付装置の組み立て工程を示す説明図である。
【図６】太陽電池モジュールパネル取付装置の要部の断面図である。
【図７】太陽電池モジュールパネル取付装置の要部の側面断面図である。
【図８】太陽電池モジュールパネルの外観図である。
【図９】外囲板の外観図である。
【図１０】本発明の他の実施形態を示す外観図である。
【図１１】本発明の他の実施形態を示す外観図である。
【符号の説明】
２          野地板
４          防水材
６          外囲板
６ａ        立ち上り部
６ｂ        上位水平部
６ｃ        下向き接続片
６ｄ        取付部
６ｅ        立ち上り部
６ｆ        下位平板部
６ｇ        吊子部
６ｈ        パネル支持片
７          立ち上り部
８          架台
８ａ        底板部
８ｂ        立ち上り部
８ｃ        立ち上り部
８ｄ        立ち上り部
８ｅ        上位水平部
８ｆ        上位水平部
８ｇ        係止部
８ｈ        係止部
８ｉ        嵌合部
８ｊ        フレーム受け
８ｋ        フレーム受け
９          Ｌ型屈折部
１０        フレーム
１２        太陽電池モジュールパネル
１４        モジュール間カバー
１６        ボルト
１８        板ナット
２０        コイルスプリング
２２        取付金具
２２ａ      平板部
２２ｂ      平板部
２２ｃ      嵌合部
２３        ビス
２４        支持片
２４ａ      水平部
２４ｂ      垂直部
２６        架台
２６ａ      底部
２６ｂ      立ち上り部
２６ｃ      上位水平部
２８        カバー
３０        ビス
３２        タイル
３４        外囲体
３６        化粧板
３８        外囲体
【図１】
0004342658.tif 000002
【図２】
0004342658.tif 000003
【図３】
0004342658.tif 000004
【図４】
0004342658.tif 000005
【図５】
0004342658.tif 000006
【図６】
0004342658.tif 000007
【図７】
0004342658.tif 000008
【図８】
0004342658.tif 000009
【図９】
0004342658.tif 000010
【図１０】
0004342658.tif 000011
【図１１】
0004342658.tif 000012